(57)【要約】【課題】菌床の攪拌をより良好に行うことのできる攪拌装置を提供する。【解決手段】攪拌装置は、上部を開放する開口部１１１を有し、菌床５０を収納可能な柔軟性を有する容器１１０を備えている。また、この攪拌装置は、容器１１０の開口部１１１の周縁を保持するポータブル便器本体１２０及び収納容器１４０と、容器１１０の下面の中央部を下方から押上げ可能な押上部材１３０とを備えている。【選択図】図１
2009220106.tif 000002
【特許請求の範囲】
【請求項１】
上部を開放する開口部を有し、菌床を収納可能な柔軟性を有する容器と、
前記開口部の周縁を保持する支持体と、
前記容器の下面の中央部近傍内の所定箇所を下方から押上げ可能な押上部材とを備えていることを特徴とする攪拌装置。
【請求項２】
前記押上部材は前記容器の下面の中央部近傍内の所定箇所に当接する当接部を有し、当接部の上面は前記所定箇所より設定間隔を空けた下降位置まで下降可能であることを特徴とする請求項１記載の攪拌装置。
【請求項３】
前記容器は前記支持体に着脱可能に保持されていることを特徴とする請求項１又は２記載の攪拌装置。
【請求項４】
前記容器は薄膜状の袋体であることを特徴とする請求項１乃至３のいずれか１項記載の攪拌装置。
【請求項５】
前記容器は、前記開口部の周縁が前記支持体に接続され、垂下状態に保持されていることを特徴とする請求項１乃至４のいずれか１項記載の攪拌装置。
【請求項６】
前記容器の外周側面を外側から斜め内側に向けて押圧可能な押圧部材を備えていることを特徴とする請求項１乃至５のいずれか１項記載の攪拌装置。
【請求項７】
前記支持体は、前記容器を上方から挿入し、収納可能な硬質の収納容器を有し、収納容器の底面には前記押上部材が挿通可能な貫通孔が形成されていることを特徴とする請求項１乃至４のいずれか１項記載の攪拌装置。
【請求項８】
前記容器の内部に着脱自在に配置され、前記菌床を収納可能な柔軟性を有する袋体を備えていることを特徴とする請求項１乃至７のいずれか１項記載の攪拌装置。
【請求項９】
前記容器内の菌床を加熱する発熱装置が設けられていることを特徴とする請求項１乃至８のいずれか１項記載の攪拌装置。
【請求項１０】
前記発熱装置は前記容器に組み込まれていることを特徴とする請求項９記載の攪拌装置。
【請求項１１】
上部を開放する開口部を有し、菌床を収納可能な柔軟性を有する容器と、開口部の周縁を保持する支持体と、容器の下面の中央部近傍内の所定箇所を下方から押上げ可能な押上部材とを備えている攪拌装置の攪拌方法であって、
前記容器内に菌床を収納し、容器の下面の中央部近傍内の所定箇所が前記押上部材により下方から押し上げられた待機状態とされ、
前記開口部から前記菌床の上に汚物等の被分解物が投入された後、前記容器の下面の中央部近傍内の所定箇所を下降させることにより、汚物等の被分解物を菌床内に埋没させることを特徴とする攪拌方法。
【発明の詳細な説明】
【技術分野】
【０００１】
本発明は攪拌装置及び攪拌方法に関する。
【背景技術】
【０００２】
特許文献１には、従来の攪拌装置が開示されている。この攪拌装置では、菌床を収納した柔軟性を有する袋体が垂下状態で外箱内に内装されている。この袋体には、左右側面の上部から外周面に沿って紐状材が渡設されている。この紐状材を緊張することによって袋体が持ち上げられ、紐状材を弛緩することによって袋体が下降する。紐状材の緊張及び弛緩を繰り返すことにより袋体に収納された菌床を攪拌することができる。
【先行技術文献】
【特許文献】
【０００３】
【特許文献１】特開２０００−１２６５７６号公報
【発明の概要】
【発明が解決しようとする課題】
【０００４】
しかし、従来の攪拌装置では、紐状材が渡設される方向と交差する方向には菌床が移動し易いが、紐状材が渡設される方向と同じ方向には菌床が移動し難いため、その方向での攪拌が不充分になる。
【０００５】
本発明は、上記従来の実情に鑑みてなされたものであって、菌床の攪拌をより良好に行うことのできる攪拌装置及び攪拌方法を提供することを解決すべき課題としている。
【課題を解決するための手段】
【０００６】
本発明の攪拌装置は、上部を開放する開口部を有し、菌床を収納可能な柔軟性を有する容器と、
前記開口部の周縁を保持する支持体と、
前記容器の下面の中央部近傍内の所定箇所を下方から押上げ可能な押上部材とを備えていることを特徴とする。
【０００７】
この攪拌装置では、押上部材が容器の下面の中央部近傍内の所定箇所を下方から押し上げると、容器内に収納された菌床の全体が持ち上げられるとともに中央部が盛り上がる。このため、菌床の上層は中央部から周囲に崩れ落ちるように移動する。その後、押し上げられた容器の下面を下降させると、容器内に収納された菌床は中央部が凹むように下降する。このため、菌床はこの凹みに向けて周囲から中央部に崩れ落ちるように移動する。このように、押上部材で容器の下面の中央部近傍内の所定箇所を繰り返し上下動させることにより、容器内に収納された菌床を攪拌することができる。
【０００８】
したがって、本発明の攪拌装置は、菌床の攪拌をより良好に行なうことができる。
【０００９】
前記押上部材は前記容器の下面の中央部近傍内の所定箇所に当接する当接部を有し、当接部は前記所定箇所より設定間隔を空けた下降位置まで下降可能であり得る。この場合、当接部を上昇させる際、下降位置と容器の所定箇所との間の空間において、当接部の上昇速度を増加させることができる。このため、当接部を容器の所定箇所に勢い良く衝突させることができ、その衝撃で容器内の菌床をほぐすことができる。よって、菌床を攪拌し易くすることができる。
【００１０】
前記容器は、前記支持体に着脱可能に保持され得る。この場合、容器ごと菌床を交換することができるため、菌床を容易に廃棄し、新しいものに交換することができる。また、容器等の攪拌装置の清掃を不要にすることができる。
【００１１】
前記容器は、薄膜状の袋体であり得る。この場合、当接部の上下動により容器を容易に変形させることができる。このため、容器内に収納された菌床は良好に攪拌することができる。
【００１２】
前記容器は、前記開口部の周縁が前記支持体に接続され、垂下状態に保持され得る。この場合、開口部の周縁が支持体に接続されているのみであるため、当接部により押上げられる際に容器が変形され易い。このため、容器内に収納された菌床は攪拌され易くなる。
【００１３】
前記容器の外周側面を外側から斜め内側に向けて押圧可能な押圧部材を備え得る。この場合、容器内の菌床を水平方向にも効率よく攪拌することができる。また、この押圧部材は複数個備えられてもよい。この場合、容器の垂直方向の中央軸を中心に容器内の菌床が回転するように攪拌することができる。
【００１４】
前記支持体は、前記容器を上方から挿入し、収納可能な硬質の収納容器を有し、収納容器の底面には前記押上部材が挿通可能な貫通孔が形成され得る。この場合、収納容器により容器を確実に保持することができる。このため、容器内に汚物等の被分解物が増加し、重量が増加した場合でも、容器が下方に垂れ下がらず、所定の位置に配置させることができる。よって、押上部材を容器の下面の中央部近傍内の所定箇所に勢いよく衝突させ、押上げることができるため、容器内の菌床を確実に攪拌することができる。
【００１５】
前記容器の内部に着脱自在に配置され、前記菌床を収納可能な柔軟性を有する袋体を備え得る。この場合、容器内の菌床を袋体ごと容易に取り出すことができる。このため、菌床の交換を容易に行なうことができる。容器には接続口が設けられ、その接続口に吸引装置が接続されていてもよい。この場合、吸引装置を駆動させることにより、袋体の外側面を容器の内面に密着するように配置させることができる。
【００１６】
前記容器内の菌床を加熱する発熱装置が設けられ得る。この場合、菌床内の過剰な水分を蒸発させ、菌床を適度な含水に保つことができる。また、冬季の気温が低い時期等、菌床に含まれる微生物が活発に活動するように菌床を温めることができる。このため、菌床が汚物等の被分解物を良好に分解することができる。
【００１７】
前記発熱装置は前記容器に組み込まれ得る。この場合、発熱装置を容易に攪拌装置に設けることができる。また、容器内の菌床を効率的に加熱することができる。
【００１８】
本発明の攪拌方法は、上部を開放する開口部を有し、菌床を収納可能な柔軟性を有する容器と、開口部の周縁を保持する支持体と、容器の下面の中央部近傍内の所定箇所を下方から押上げ可能な押上部材とを備えている攪拌装置の攪拌方法であって、
前記容器内に菌床を収納し、容器の下面の中央部近傍内の所定箇所が前記当接部により下方から押し上げられた待機状態とされ、
前記開口部から前記菌床の上に汚物等の被分解物が投入された後、前記容器の下面の中央部近傍内の所定箇所を下降させることにより、汚物等の被分解物を菌床内に埋没させることを特徴とする。
【００１９】
この攪拌方法では、押上部材が下降し、菌床の表面の中央部が凹むように変化すると、この凹みに向けて菌床が周囲から中央部に崩れ落ちるように移動する。このため、待機状態で投入された汚物等の被分解物を菌床で被覆し、菌床内に良好に埋没させることができる。これにより、汚物等の被分解物が菌床の上に長時間放置されず、汚物等の被分解物が視認されず、かつ汚物等の被分解物から発生する臭いの発散を防止することができるため、使用者に不快感を感じさせないですむ。
【００２０】
したがって、本発明の攪拌方法は、菌床の攪拌をより良好に行なうことができる。
【図面の簡単な説明】
【００２１】
【図１】実施例１のポータブル便器を示す分解断面図である。
【図２】実施例１のポータブル便器を示す断面図である。
【図３】実施例１のポータブル便器において、押上部材により、容器の下面の中央部が最も押上げられた状態を示す断面図である。
【図４】実施例１のポータブル便器において、容器の下面の中央部が完全に下降した状態を示す断面図である。
【図５】実施例１のポータブル便器において、菌床の交換時を示す概略図である。
【図６】実施例２のポータブル便器を示す断面図である。
【図７】実施例３のポータブル便器を示す断面図である。
【図８】実施例３のポータブル便器において、押上部材により、容器の下面の中央部が最も押上げられた状態を示す断面図である。
【図９】実施例３のポータブル便器において、容器の下面の中央部が押上げられた後、中間位置まで下降した状態を示す断面図である。
【図１０】実施例３のポータブル便器において、容器の下面の中央部が完全に下降した状態を示す断面図である。
【図１１】実施例３のポータブル便器において、菌床の交換時を示す概略図である。
【図１２】実施例４のポータブル便器を示す断面図である。
【図１３】実施例４のポータブル便器において、外周側面が押圧された状態を示す断面図である。
【発明を実施するための形態】
【００２２】
以下、本発明の攪拌装置を利用したポータブル便器を具体化した実施例１〜４を図面を参照しつつ説明する。
【実施例１】
【００２３】
実施例１のポータブル便器１０１は、図１及び図２に示すように、ポータブル便器本体１２０と、柔軟性を有する薄膜状の袋体からなる容器１１０と、硬質の収納容器１４０とを備えている。また、ポータブル便器１０１は、ポータブル便器本体１２０の底部に配置された押上部材１３０を備えている。さらに、ポータブル便器１０１は、ポータブル便器本体１２０の上面に便座６０及び図示しない便蓋を回動可能に備えている。ポータブル便器本体１２０、容器１１０、収納容器１４０及び押上部材１３０により攪拌装置が構成されている。
【００２４】
ポータブル便器本体１２０は上面に開口１２１を有している。開口１２１の周縁には、ポータブル便器本体１２０の上面から連続し、一段低く形成された受部１２２が形成されている。収納容器１４０は、底面の中央に押上部材１３０が挿通可能に形成された貫通孔１４１を有している。また、収納容器１４０は、上端開口の外周に延びる鍔部１４２を有している。収納容器１４０は、鍔部１４２をポータブル便器本体１２０の受部１２２に係止し、ポータブル便器本体１２０内に配置される。ポータブル便器本体１２０と収納容器１４０とにより容器１１０を支持する支持体を形成している。
【００２５】
容器１１０は、内部に菌床５０を収納し、収納容器１４０の上端開口から挿入され、収納容器１４０内に収納されている。菌床５０は、木材チップやおが屑等の培養地に好気性微生物を培養させたものである。容器１１０の開口部１１１は収納容器１４０の鍔部１４２を覆うように折り返され、ポータブル便器本体１２０の受部１２２と、収納容器１４０の鍔部１４２との間に挟み込まれ、保持されている。
【００２６】
押上部材１３０は、ポータブル便器本体１２０内に収納容器１４０が配置された状態で、収納容器１４０の貫通孔１４１の真下に配置されている。押上部材１３０は、内部に空気が流入すると伸長し、内部の空気が排出されると短縮する伸縮部材１３１と、伸縮部材１３１を覆い、伸縮可能な蛇腹部材１３２とを有している。伸縮部材１３１は、径が相違する複数の筒部材を軸方向にスライド可能に重ね、密閉状態に連結して形成されている。このように伸縮式の押上部材１３０を採用することにより、押上部材１３０をコンパクトにすることができ、容器１１０の容量を大きくすることができる。
【００２７】
蛇腹部材１３２の上面１３２Ｔが容器１１０の下面の中央部１１０Ｂに当接する当接部である。伸縮部材１３１が最も短縮した状態（当接部の下降位置）では、蛇腹部材１３２の上面１３２Ｔは、容器１１０の下面の中央部１１０Ｂより設定間隔を空けた下方に位置している。つまり、収納容器１４０の貫通孔１４１より下方に蛇腹部材１３２の上面１３２Ｔは位置している。
【００２８】
伸縮部材１３１は空気ポンプ１３３に連通している。空気ポンプ１３３は、内部にピストン部材１３３Ｐを有している。ピストン部材１３３Ｐは、モーター１３３Ｍにより軸方向に移動し、伸縮部材１３１内へ空気を流入させたり、伸縮部材１３１内の空気を排出させたりすることができる。
【００２９】
このような構成のポータブル便器１０１は、図２に示すように、押上部材１３０の伸縮部材１３１が最も短縮した状態が待機状態とされ、使用者が用便を行う。
【００３０】
使用者が用便を終了した後、ポンプ１３３を駆動する。つまり、モーター１３３Ｍが駆動し、ピストン部材１３３Ｐを軸方向に前進させる。これにより、伸縮部材１３１内に空気が流入し、伸縮部材１３１が伸長する。この際、蛇腹部材１３２の上面（当接部）１３２Ｔは、伸縮部材１３１が最も短縮した状態（下降位置）で、容器１１０の下面の中央部１１０Ｂより設定間隔を空けた下方に位置しているため、伸縮部材１３１が伸長し始めた直後は、容器１１０の下面の中央部１１０Ｂに蛇腹部材１３２の上面１３２Ｔは当接せず、蛇腹部材１３２の上面１３２Ｔの上昇速度を増加させることができる。このため、蛇腹部材１３２の上面１３２Ｔが容器１１０の下面１１０Ｂに勢いよく衝突させることができる。この衝撃で容器１１０内の菌床５０をほぐすことができる。よって、菌床５０を攪拌し易くすることができる。
【００３１】
伸縮部材１３１を最長の長さまで伸長させると、図３に示すように、容器１１０内の菌床５０が持ち上げられるとともに中央部が盛り上がる。このため、菌床５０の上層は中央部から周囲に崩れ落ちるように移動する。この際、汚物１００も中央部から周囲に向けて菌床５０に埋没しながら移動する。その後、図４に示すように、伸縮部材１３１を短縮し、容器１１０の下面を下降させると、容器１１０内に収納された菌床５０は中央部が凹むように下降する。このため、菌床はこの凹みに向けて周囲から中央部に崩れ落ちるように移動する。この際、汚物１００は、菌床５０に被覆され、菌床５０内に埋没する。その後、所定時間又は所定回数、伸縮部材１３１を伸縮させることにより、菌床５０及び汚物１００を攪拌する。これにより、菌床５０内で汚物１００を良好に分解することができる。
【００３２】
したがって、実施例１のポータブル便器１０１に利用された攪拌装置は、菌床５０の攪拌をより良好に行うことができる。
【００３３】
また、使用者がポータブル便器１０１を使用した後、汚物１００が菌床５０の表面に長時間放置されず、直ちに菌床５０内に埋没させることができる。このため、汚物１００が使用者に視認されず、かつ汚物１００から発生する臭いの発散を防止することができるため、使用者に不快感を感じさせない。
【００３４】
また、収納容器１４０により、容器１１０を保持しているため、容器１１０内に汚物等の被分解物が増加し、重量が増加した場合でも、容器１１０が下方に垂れ下がらず、所定の位置に配置させることができる。また、容器１１０の外側面は収納容器１４０に内面に当接しているため、容器１１０の動きを安定した状態に維持することができる。このため、菌床５０の攪拌時に、菌床５０が容器１１０から飛散することを防止することができる。また、押上部材１３０を容器１１０の下面の中央部１１０Ｂに勢いよく衝突させ、押上げることができるため、容器１１０内の菌床５０を確実に攪拌することができる。
【００３５】
菌床５０を交換する際には、図５に示すように、容器１１０を収納容器１４０から取り出すことができる。このため、容器１１０ごと菌床５０を交換することができ、菌床を容易に廃棄し、新しいものに交換することができる。また、容器１１０、収納容器１４０及び押上部材１３０等の清掃を不要にすることができる。
【実施例２】
【００３６】
実施例２のポータブル便器１０２は、図６に示すように、実施例１のポータブル便器１０１に対して、容器１１０の下面と収納容器１４０の内面との間に隙間Ｄを設けたものである。その他の構成は実施例１と同じであり、同一の構成については同一の符号を付して詳細な説明は省略する。
【００３７】
実施例２のポータブル便器１０２では、容器１１０の開口部１１をポータブル便器本体１２０の受部１２２と、収納容器１４０の鍔部１４２との間に挟み込む際、容器１１０の下面が収納容器１４０の内面との間に隙間Ｄを設けるように容器１１０を上方に引き上げ保持させる。
【００３８】
このようにして、容器１１０の下面と収納容器１４０の内面との間に隙間Ｄが設けられているため、伸縮部材１３１を短縮し、容器１１０の下面を下降させる際に、伸縮部材１３１の短縮速度を急激に（容器１１０の下面が下降する速度よりも速く）することにより、容器１１０の下面が最下端に下降したときの衝撃を強く与えることができる。このため、容器１１０内の菌床５０をより攪拌することができる。また、容器１１０の側面は収納容器１４０の内面に当接しているため、柔軟性を有する薄膜状の袋体である容器１１０の動きを安定した状態に維持することができる。このため、菌床５０の攪拌時に、菌床５０が容器１１０から飛散することを防止することができる。
【実施例３】
【００３９】
実施例３のポータブル便器１は、図６に示すように、ポータブル便器本体２０と、上部を開放する開口部１１を有し、柔軟性を有する発泡ゴム製の容器１０とを備えている。また、ポータブル便器１は、容器１０の下端面中央部の下方に押上部材３０を備えている。また、ポータブル便器１は、ポータブル便器本体２０の上面に、便座６０及び図示しない便蓋を回動可能に備えている。ポータブル便器本体２０、容器１０及び押上部材３０により攪拌装置が構成されている。
【００４０】
ポータブル便器本体２０は上面に開口２１を有している。この開口２１には、容器１０の開口部１１の周縁が接続され、容器１０は、ポータブル便器本体２０に垂下状態に支持されている。容器１０には、通電されることにより発熱するニクロム線１２が内部に組み込まれている。また、容器１０に設けられた接続口には、吸引ポンプ１４が接続された吸引管１３が接続されている。
【００４１】
容器１０の内部には、着脱自在な袋体４０が配置され、袋体４０内に菌床５０が収納されている。吸引ポンプ１４が駆動されることにより、吸引ポンプ１４が吸引管１３を介して袋体４０を吸引するため、容器１０の内面に隙間なく袋体４０を密着させることができる。菌床５０は、木材チップやおが屑等の培養地に好気性微生物を培養させたものである。
【００４２】
押上部材３０は、上下方向に伸縮する伸縮部材３１を有している。伸縮部材３１は、容器１０の下面の中央部に設けられた凹部３２に先端部を当接させ、容器１０の下面の中央部を下方から押し上げることができる。伸縮部材３１の先端部が凹部３２に嵌り込むため、横滑りすることなく、確実に容器１０の下面の中央部を押上部材３０は押し上げることができる。
【００４３】
このような構成のポータブル便器１は、押上部材３０の伸縮部材３１を上下方向に伸縮させることにより、容器１０の下面の中央部を上下動させることができる。
【００４４】
このポータブル便器１の攪拌装置の駆動状態について説明する。先ずは、使用者が用便を行う前に、図７に示すように、伸縮部材３１を最長の長さまで伸長させ、容器１０の下面の中央部を上昇させる。この際、菌床５０は、表面の中央部が上方に膨らみながら全体的に上昇している。伸縮部材３１が上方へ伸びきった後、図８に示すように、伸縮部材３１を中間の長さまで緩やかに縮小させ、容器１０の下面の中央部を緩やかに下降させる。これにより、菌床５０の表面は、周辺部より中央部が凹む。ポータブル便器１は、この状態が待機状態とされる。その後、使用者が用便を行うと、菌床５０の表面の中央部が凹んでいるため、排泄された汚物１００は、中央部に自然に集まる。
【００４５】
使用者が用便を終了した後、図９に示すように、伸縮部材３１を最小の長さまで急激に縮小させ、容器１０の下面の中央部を急激に下降させる。これにより、菌床５０の表面中央部がさらに凹むように変化する。この際、その凹みに向けて周囲から菌床５０が崩落するように移動し、汚物１００は菌床５０に被覆され、菌床５０内に埋没する。伸縮部材３１を急激に縮小させることにより、容器１０の下面の中央部が急激に下降し、菌床５０の表面中央部が急激に凹み、菌床５０の周囲から中央部への崩落を誘発し、汚物１００を確実に菌床５０に被覆し、菌床５０内に埋没させることができる。この際、容器１０の凹部３２と、最小の長さまで縮小された伸縮部材３１の先端部との間に空隙があるため、容器１０の下面を下降させた際に容器１０内に大きな衝撃を与えることができる。
【００４６】
その後、所定時間又は所定回数、伸縮部材３１を伸縮させることにより、菌床５０及び汚物１００を攪拌する。この際、容器１０の凹部３２と、最小の長さまで縮小された伸縮部材３１の先端部との間に空隙上がるため、伸縮部材３１が伸長し、先端部が凹部３２に当接するときには、先端部の上昇速度が増加しており、勢いよく容器１０の下面を押し上げることができる。これにより、菌床５０内で汚物１００を良好に分解することができる。
【００４７】
したがって、実施例３のポータブル便器１に利用された攪拌装置及び攪拌方法は、菌床の攪拌をより良好に行うことができる。
【００４８】
また、使用者がポータブル便器１を使用した後、汚物１００が菌床５０の表面に長時間放置されず、直ちに菌床５０内に埋没させることができる。このため、汚物１００が使用者に視認されず、かつ汚物１００から発生する臭いの発散を防止することができるため、使用者に不快感を感じさせない。
【００４９】
また、ニクロム線１２に通電して容器１０を温めることにより、菌床５０内の過剰な水分を蒸発させ、菌床５０を適度な含水に保つことができる。また、冬季の気温が低い時等、菌床５０内の好気性微生物が活発に活動するように菌床５０を温めることができる。このため、菌床５０は汚物１００を良好に分解することができる。
【００５０】
菌床５０を交換する際には、図１０に示すように、袋体４０ごと容器１０から取り出すことができる。このため、菌床５０を容易に交換することができる。また、容器１０等の清掃を不要にすることができる。
【実施例４】
【００５１】
実施例４のポータブル便器２は、図１１、１２に示すように、実施例３のポータブル便器１に対して、容器１０の外周側面を外側から斜め内側に向けて押圧可能な押圧部材７０をさらに備えたものである。その他の構成は実施例２と同じであり、同一の構成については同一の符号を付して詳細な説明は省略する。
【００５２】
実施例４のポータブル便器２は、容器１０の外周側面の４か所に伸縮部材７１を有する押圧部材７０をさらに備えている。この押圧部材７０は、使用者が用便を行った後、所定時間、伸縮部材７１を伸縮させる。これにより、菌床５０及び汚物１００は、容器１０の垂直方向の中央軸を中心に回転するように攪拌することができる。これにより、菌床５０及び汚物１００が良好に攪拌され、好気性微生物により汚物１００を良好に分解することができる。
【００５３】
したがって、実施例４のポータブル便器２に利用された攪拌装置も菌床の攪拌をより良好に行うことができる。
【００５４】
本発明は、上記記述及び図面によって説明した実施例１〜３に限定されるものではなく、例えば次のような実施例も技術的範囲に含まれる。
（１）上記実施例１〜３では、容器の下面の中央部近傍内を一つの押上部材により押し上げたが、押上部材を複数設けて、容器の下面の複数個所を下方から押し上げ可能にしてもよい。この場合、複数の押上部材を順次、駆動させるとよい。このようにすると、菌床をさらに攪拌することができる。
（２）また、容器の下面の中央部近傍の周縁を押し上げる押上部材を設けてもよい。この場合、周縁を押し上げる押上部材を環状に形成し、容器の下面の中央部を押し上げる押上部材と交互に上下動させるようにしてもよい。
（３）上記実施例１及び２において、下面の中央部が上方に凹んだ容器を採用してもよい。この場合、容器の下面の凹みと当接部との間に確実に空間を形成することができる。これにより、押上部材の上昇速度を増加させる空間が得られ、当接部を勢いよく容器の凹部に衝突させることができるため、容器内の菌床を十分に攪拌することができる。このため、押上部材の伸長量を小さくすることができ、装置全体のコンパクト化を図ることができる。また、容器の下面の凹みに押上部材の当接部が嵌まり込むように衝突させることができるため、当接部が容器外へずれてしまうことを防止することができる。このため、容器の下面の中央部を確実に押し上げることができる。
（４）上記実施例４の押圧部材の伸縮部材を順次、伸縮させてもよい。この場合、確実に菌床を横方向へ移動させることができる。
（５）また、実施例４の押圧部材の伸縮部材を斜め上方向に向けても、伸縮するようにしてもよい。この場合、菌床を横方向に移動させつつ、上方向へも移動させることができ、菌床をより攪拌することができる。
（６）上記実施例３、４では、ニクロム線を容器の内部に組み込んだが、容器に熱媒体が循環可能な循環経路を形成し、循環経路に熱媒体を循環させたり、容器内に遠赤外線を生成するファインセラミックス等を埋設し、遠赤外線を放射したりして、菌床を温めてもよい。
【産業上の利用可能性】
【００５５】
本発明はポータブル便器、生ゴミ処理装置に利用可能である。
【符号の説明】
【００５６】
１０、１１０…容器
１１、１１１…開口部
１２…ニクロム線（発熱体）
２０、１２０…ポータブル便器本体（支持体）
３０、１３０…押上部材
５０…菌床
７０…押圧部材
１３２Ｔ…蛇腹部材の上面（当接部の上面）
１４０…収納容器
【図１】
2009220106.tif 000003
【図２】
2009220106.tif 000004
【図３】
2009220106.tif 000005
【図４】
2009220106.tif 000006
【図５】
2009220106.tif 000007
【図６】
2009220106.tif 000008
【図７】
2009220106.tif 000009
【図８】
2009220106.tif 000010
【図９】
2009220106.tif 000011
【図１０】
2009220106.tif 000012
【図１１】
2009220106.tif 000013
【図１２】
2009220106.tif 000014
【図１３】
2009220106.tif 000015